(57)【要約】【課題】郵便物、特に転居通知葉書の情報の管理を容易にする。【解決手段】郵便物、特に転居通知葉書に名刺大の切取り線を設け、その内側に住所、電話番号など必要事項を記載する。【選択図】図１
2004082456.tif 000002
【特許請求の範囲】
【請求項１】
郵便物　又は郵便物用印刷物の一部分もしくは複数の部分において名刺の大きさを示す切取り線を設け、該切取り線内に必用事項を記載したことを特徴とする郵便物　又は郵便物用印刷物。
【請求項２】
郵便物　又は郵便物用印刷物が葉書であることを特徴とする請求項１記載の郵便物　又は郵便物用印刷物
【請求項３】
郵便物　又は郵便物用印刷物が住所変更通知書であって、名刺大の切取り線の中に住所、氏名、電話番号、ＦＡＸ番号、メールアドレス、日付、郵便番号などから選ばれた事項が記載されていることを特徴とする請求項１　又は２記載の郵便物　又は郵便物用印刷物。
【請求項４】
郵便物　又は郵便物用印刷物が、企業が発送するダイレクトメールであることを特徴とする請求項１　又は２記載の郵便物　又は郵便物用印刷物。
【請求項５】
郵便物　又は郵便物用印刷物が官公庁の発送する通知書であることを特徴とする請求項１　又は２記載の郵便物　又は郵便物用印刷物。
【発明の詳細な説明】
【０００１】
【発明の属する技術分野】
本発明は郵便物　又は郵便物用印刷物に関する。
【０００２】
【従来の技術】
一般に郵便物は公私の情報を連絡する手段として広く用いられている。それらは単なる状況説明などの一過性のもの（以下、一過性郵便物と称する）と、情報を受け手に保存してほしいもの（以下、保存性郵便物と称する）に大別される。
【０００３】
従来の保存性郵便物において、受けての情報の保存方法としては
▲１▼郵便物を原型で保存する
▲２▼必要部分を切り取って保存する
▲３▼必要部分を別紙に書き写す
▲４▼全体もしくは必用部分をコピー機でコピーする
▲５▼必用部分をコンピューターやワープロに記憶させる
▲６▼必用部分を人間が記憶する
などの方法が一般に採用されている。
【０００４】
これらの情報の一般的な保存方法のうち、▲１▼の郵便物を原型で保存する方法は、郵便物の大きさがまちまちであったり郵便物自体の大きさが大きいために、それらの整理や保存が困難な場合が多いという問題があった。
【０００５】
また、情報の一般的な保存方法のうち、▲２▼の必要部分を切り取って保存する方法は、必用な情報が郵便物の中に散在して切取りが面倒であったり、切り取った部分の大きさや形状が不定で保存しにくいという問題があった。
【０００６】
また、情報の一般的な保存方法のうち、▲３▼の必用部分を別紙に書き写す方法は、手間がかかったり誤って書き写す可能性があるなどの問題があった。
【０００７】
また、情報の一般的な保存方法のうち、▲４▼の全体もしくは必用部分をコピー機でコピーする方法は、コピー機が身近に無ければ採用できず、費用もかかるという問題があった。
【０００８】
また、情報の一般的な保存方法のうち、▲５▼の必用部分をコンピューターやワープロに記憶させる方法は、これらの機器が身近に無ければ採用できず、また入力ミスを犯す可能性があるなどの問題があった。
【０００９】
また、情報の一般的な保存方法のうち、▲６▼の必用な部分を人間が記憶する方法は、忘れてしまう可能性があるという問題があった。
【００１０】
上記の郵便物の情報の一般的な保存方法のうち最も正確で比較的場所を取らず安価なのが▲２▼の必要部分を切り取って保存する方法であるが、前述のとおり必用な情報が郵便物の中に散在して切取りが面倒であったり、切り取った部分の大きさや形状が不定で保存しにくいという問題があった。
【００１１】
【発明が解決しようとする課題】
本発明の目的は、上記の郵便物　又は郵便物用印刷物の必用部分を切り取って保存する方法に関し、必用部分の切断が容易で、かつ保存が容易である郵便物　又は郵便物用印刷物を提供することにある。
【００１２】
【課題を解決するための手段】
本発明の目的は以下の手段で達成されるものである。
（１）郵便物　又は郵便物用印刷物の一部分もしくは複数の部分において名刺の大きさを示す切取り線を設け、該切取り線内に必用事項を記載したことを特徴とする郵便物　又は郵便物用印刷物。
（２）郵便物　又は郵便物用印刷物が葉書であることを特徴とする上記（１）項記載の郵便物　又は郵便物用印刷物
（３）郵便物　又は郵便物用印刷物が住所変更通知書であって、名刺大の切取り線の中に住所、氏名、電話番号、ＦＡＸ番号、メールアドレス、日付、郵便番号などから選ばれた事項が記載されていることを特徴とする上記（１）　又は（２）項記載の郵便物　又は郵便物用印刷物。
（４）郵便物　又は郵便物用印刷物が、企業が発送するダイレクトメールであることを特徴とする上記（１）　又は（２）項記載の郵便物　又は郵便物用印刷物。
（５）郵便物　又は郵便物用印刷物が、官公庁が発送する通知書であることを特徴とする上記（１）　又は（２）項記載の郵便物　又は郵便物用印刷物。
【００１３】
【発明の実施の形態】
本発明における郵便物とは、官製葉書、私製葉書　又は封書とその内容物を指す。また、葉書とは通常の葉書の他に、往復葉書、通常葉書大であるが微粘着部分を剥がせば見開きとなるものなど通常の葉書の郵送料で郵送可能な郵便物を指す。また、郵便物用印刷物とは、主として郵送に供することを目的として印刷された私製葉書、封書の内容物などを指すが、送付方法は必ずしも郵送に限定するものでなく、宅配便や社内メール、手渡しなど各種の方法で配布されるものも本発明に含まれる。また、一般に私製葉書の宛名書き面には郵便はがきの文字や郵便番号記入枠や切手貼付位置マーク等が印刷されるが必ずしもこの必要はなく、葉書として郵送可能なサイズであれば宛名書き面は白紙であってもよいし他の事項が記入されていてもよい。
【００１４】
本発明の特徴は、名刺の大きさを示す切取り線を郵便物もしくは郵便物用印刷物に設け、この内側に必要事項を記載することにある。こうする事により郵便物の受け手は容易に名刺大の必用部分を切り取ることができ、他の名刺と共に簡単に保存、管理することが可能となる。
【００１５】
名刺の大きさの切取り線を印刷する考えは例えば特開平０８−２１７１６２に提案されているが、対象物は菓子箱に限定され、葉書や転居通知に適用することは全く示唆されていない。
【００１６】
本発明で言う名刺の大きさとは、国内で通常に使用されている名刺の大きさを指し、長辺が９０±５ｍｍ、短辺が５４±５ｍｍ程度のものが多いが、他の名刺と共に保存する上で問題なければ必ずしもこれに限定されるものではない。
【００１７】
また、本発明で言う切取り線は、図２−（ａ）に示すように名刺大に四方を囲む切取り線２であってもよいし、図２−（ｂ）に示すように郵便物もしくは郵便物用印刷物１の１辺と名刺大の一辺を共通として３辺を囲む切取り線２であってもよいが、図２−（ｃ）に示すように郵便物もしくは郵便物用印刷物１の２辺と名刺大の２辺を共通として２方を囲む切取り線２が切取りの容易さから最も好ましい。また、切取り線は実線でも点線でもミシン目でもよい。
【００１８】
【実施例】
本発明が最も有効に適用されるもののひとつに転居通知の葉書がある。図１に示す転居通知の実施例に従って本発明を更に説明する。図１において１は葉書、２は切取り線を示す。切取り線の内側には日付、郵便番号、住所、氏名、電話、ファックス番号、メールアドレスなどが記載されている。切取り線２に添って２方向を切り取ることにより、容易におよそ９．１ｍｍ×５．４ｍｍの名刺大の紙片とすることができ、保管、管理がしやすくなった。
【００１９】
【発明の効果】
郵便物　又は郵便物用印刷物に名刺大の大きさを示す切り取り線を設け、この取り線に添って切り取ることにより、容易におよそ９．１ｍｍ×５．４ｍｍの名刺大の紙片とすることができ、保管、管理がしやすくなる。
【図面の簡単な説明】
【図１】実施例に用いた転居通知の葉書を示す図
【図２】切取り線の例を示す図
【符号の説明】
１：葉書
２：切取り線
【図１】
2004082456.tif 000003
【図２】
2004082456.tif 000004